(57)【要約】【課題】ピックアップフレームにおいて、温度上昇による支持ベースの熱変形を低減する。【解決手段】ピックアップフレーム８は、発光素子１１と発光素子からの光を処理する光学処理部１７を有する光ピックアップ装置に用いられ、光学ベース３０と支持ベース３２と補強部材３４と第１規制部３６と第２規制部３８とを備えている。光学ベースは、金属製であり、発光素子及び光学処理部を支持する。支持ベースは、合成樹脂製であり、光学ベースを支持する。補強部材は、支持ベースの表面に光学ベースと離反して配置される合成樹脂製のものである。第１規制部は、第１支持ベースに設けられ、第１支持ベースがＹ軸方向以外の方向に可動するのを規制する。第２規制部は、第２支持ベースに設けられ、第２支持ベースがＹ軸方向の軸回りに回動するのを規制する。【選択図】図５
2009283112.tif 000002
【特許請求の範囲】
【請求項１】
光を出射する発光素子と、前記発光素子から出射された光を処理する光学処理部と、前記光学処理部で処理された光を記録媒体に向けて集光する光照射部と、を有し、固定台に対して移動可能な光ピックアップ装置に用いられるピックアップフレームであって、
前記発光素子及び前記光学処理部を支持する金属製の光学ベースと、
前記光学ベースを支持する合成樹脂製の支持ベースと、
前記支持ベースの表面に前記光学ベースから離反して配置される合成樹脂製の補強部材と、
前記支持ベースの第１方向の第１端側に設けられ、前記支持ベースが第１方向と交差する第２方向以外の方向に可動するのを規制する第１規制部と、
前記支持ベースの前記第１方向の第２端側に設けられ、前記支持ベースが前記第２方向の軸回りに回動するのを規制する第２規制部と、
を備えた光ピックアップ装置用ピックアップフレーム。
【請求項２】
前記支持ベースは、前記光学ベースを収納可能に前記第１方向及び前記第２方向に沿って形成された概ね矩形の光学ベース収納部を有し、
前記補強部材は、前記光学ベース収納部の周囲で少なくとも前記第１方向に沿って配置されている、
請求項１に記載の光ピックアップ装置用ピックアップフレーム。
【請求項３】
前記補強部材は、前記支持ベースと同じ材質である、請求項２に記載の光ピックアップ装置用ピックアップフレーム。
【請求項４】
前記補強部材は、前記第１方向及び前記第２方向に沿って概ね矩形枠状に形成されており、
前記支持ベースの表面の前記補強部材の配置部分には、前記補強部材を固定するための補強部材固定部が前記補強部材の厚み分凹んで形成されている、請求項２又は３に記載の光ピックアップ装置用ピックアップフレーム。
【請求項５】
前記支持ベースは、前記光学処理部の光路を確保するための他の部分より薄肉の光通過部を有し、
前記補強部材は、前記光通過部の表面側を交差するように配置されている、請求項２から４のいずれか１項に記載の光ピックアップ装置用ピックアップフレーム
【請求項６】
前記支持ベースは、前記光学ベース収納部の前記第１方向に沿って配置された内側面に前記第２方向に対向して配置された１対の第１固定部と、前記光学ベース収納部より前記第２規制部側で前記第２方向に対向して配置された１対の第２固定部と、を有する、
請求項２から５のいずれか１項に記載の光ピックアップ装置用ピックアップフレーム。
【請求項７】
前記光学ベースと、前記支持ベースと、は前記第１及び第２固定部で接着剤により固定されている、
請求項６に記載の光ピックアップ装置用ピックアップフレーム。
【請求項８】
前記支持ベースと、前記光学ベースと、は隙間をあけて配置されている、
請求項７に記載の光ピックアップ装置用ピックアップフレーム。
【請求項９】
光を出射する発光素子と、
前記発光素子から出射された光を処理する光学処理部と、
前記光学処理部で処理された光を記録媒体に向けて集光する光照射部と、
請求項１から８のいずれか１項に記載のピックアップフレームと、
を有し、固定台に対して移動可能な光ピックアップ装置。
【請求項１０】
請求項９に記載の光ピックアップ装置と、
前記固定台に第１方向に沿って配置された主軸と、
前記主軸と間隔を隔てて配置された副軸と、
前記光ピックアップ装置に対向可能に配置され、記録媒体を載置して回転可能な記録媒体載置部と、
を備えた記録再生装置。
【発明の詳細な説明】
【技術分野】
【０００１】
本発明は、合成樹脂と金属を用いたハイブリッド型のピックアップフレーム、ピックアップフレームを用いた光ピックアップ装置、及び光ピックアップ装置を用いた記録再生装置に関する。
【背景技術】
【０００２】
記録再生装置としての光ディスク駆動装置により回転される光ディスクの信号面に光を入射して、この光ディスクに記録されている情報信号を読み取る手段として、または光ディスクに情報を書き込む手段として、光ピックアップ装置が用いられている。
この光ピックアップ装置は、光を出射する半導体レーザ素子等の発光素子と、発光素子から出射された光を処理する光学処理部と、対物レンズと、これらを装着するピックアップフレームと、を備えている。対物レンズは、半導体レーザ等の発光素子から出射される光を光ディスクの信号面に集光させるものであり、アクチュエータにより駆動される。アクチュエータは、対物レンズを磁気的な駆動力によりフォーカス方向およびトラッキング方向の２軸方向に変位させる。ピックアップフレームは、対物レンズを送り方向に沿って直線的に移動できるように、回転する主軸と、主軸と平行に配置された副軸とにより案内される。
【０００３】
このような光ディスクドライブ装置において、本体ベースに樹脂材を採用すれば、軽量で小型化が可能となり、さらには安価となる。しかし、合成樹脂は、金属に比べて放熱性能が劣るとともに、温度上昇による熱変形量が大きくなる。
近年、光ディスクの高記録密度化、高速記録化に伴って、発光素子の高出力化が進行している。この発光素子の高出力化に比例して発光素子からの発熱量が増加するため、放熱対策を十分に行う必要がある。そこで、放熱対策を行いつつ軽量化を図るために、精度が特に必要な光学部品や光学処理部を装着する光学ベースを金属製にし、光学ベースを支持するとともに移動のための案内部分などが含まれる支持ベースに合成樹脂を用いたハイブリッド型のピックアップフレームが従来知られている（例えば、特許文献１参照）。
特許文献１のピックアップフレームは、合成樹脂製の支持ベースの底面に金属製の光学ベースが固定されたものである。この放熱板上に発光素子、受光素子を含む光学処理部が装着されている。このピックアップフレームでは、発光素子や光学処理部の各光学部品等の部品が金属製の光学ベース上に接着固定されている。各光学部品が固定された光学ベースが金属製であり、発光素子での発熱の影響による放熱板の剛性の低下はわずかであることから、全体が合成樹脂製のピックアップフレームに比べて放熱性能の低下や剛性の低下を防止できる。
【特許文献１】特許第３８３３８７２号公報
【発明の開示】
【発明が解決しようとする課題】
【０００４】
昨今の高記録密度化、高速度化の傾向にある光ピックアップ装置においては、発光素子はさらに高出力化し、発光素子からの発熱によるピックアップフレーム、および光学処理部の各素子の熱変形が問題となる。熱変形が生じると、ピックアップフレームに装着された光学部品の位置ずれが発生し、光学特性に悪影響を与える。
特許文献１に開示されたピックアップフレームの場合、合成樹脂製の支持ベースに金属製の光学ベースを組み付けている。このため、温度が上昇すると、金属製の光学ベースと合成樹脂製の支持ベースの線膨張係数の差により支持ベースの膨張量が金属ベースに比べて大きくなる。この結果、支持ベースが主軸と副軸との間で下方向にたわむ熱変形を起こし、主軸と副軸から形成される面に対して光学ベースが傾くおそれがある。このように光学ベースが傾くと、光学部品の位置ずれが発生し、光学特性が劣化する。
【０００５】
本発明の課題は、光ピックアップ装置に用いられる金属と合成樹脂とを用いたハイブリッド型のピックアップフレームにおいて、温度上昇による支持ベースの熱変形を低減することにある。
本発明の別の課題は、ハイブリッド型のピックアップフレームを用いた光ピックアップ装置において、光学部品の位置ずれによる光学特性の低下を抑えることにある。
【課題を解決するための手段】
【０００６】
第１の発明に係る光ピックアップ装置用ピックアップフレームは、光を出射する発光素子と、発光素子から出射された光を処理する光学処理部と、光学処理部で処理された光を記録媒体に向けて集光する光照射部と、を有し、固定台に対して移動可能な光ピックアップ装置に用いられるピックアップフレームであって、光学ベースと、支持ベースと、補強部材と、第１規制部と、第２規制部と、を備えている。光学ベースは、発光素子及び光学処理部を支持する金属製のものである。支持ベースは、光学ベースを支持する合成樹脂製のものである。補強部材は、支持ベースの表面に光学ベースから離反して配置される合成樹脂製の部材である。第１規制部は、支持ベースの第１方向の第１端側に設けられ、支持ベースが第１方向と交差する第２方向以外の方向に可動するのを規制するものである。第２規制部は、支持ベースの第２端側に設けられ、支持ベースが第２方向の軸回りに回動するのを規制するものである。
【０００７】
このピックアップフレームでは、発光素子及び光学処理部を金属製の光学ベースに装着し、その光学ベースが支持ベースによって支持され、支持ベースの表面に合成樹脂製の補強部材が光学ベースから離反して配置されている。これにより、温度上昇により支持ベースが膨張すると補強部材も膨張し、支持ベースが下方にたわもうとしても、表面で膨張する補強部材によりたわみが抑制される。このため、合成樹脂製の支持ベースの熱変形が妨げられ、ピックアップフレームのトータルでの熱変形を低減することができる。また、このピックアップフレームに発光素子や光学処理部を搭載しても、発生する光学ベースの位置ずれの影響を小さくすることができる。
第２の発明に係る光ピックアップ装置用ピックアップフレームは、第１の発明に係るピックアップフレームであって、支持ベースは、光学ベースを収納可能に第１方向及び第２方向に沿って形成された矩形の光学ベース収納部を有し、補強部材は、光学ベース収納部の周囲で少なくとも第１方向に沿って配置されている。
【０００８】
第３の発明に係る光ピックアップ装置用ピックアップフレームは、第２の発明に係るピックアップフレームであって、補強部材は、支持ベースと同じ材質である。
第４の発明に係る光ピックアップ装置用ピックアップフレームは、第２又は第３の発明に係るピックアップフレームであって、補強部材は、第１方向及び前記第２方向に沿って概ね矩形枠状に形成されており、支持ベースの表面の補強部材の配置部分には、補強部材を固定するための補強部材固定部が補強部材の厚み分凹んで形成されている。
第５の発明に係る光ピックアップ装置用ピックアップフレームは、第２から第４の発明のいずれかに係るピックアップフレームであって、支持ベースは、光学ベース収納部の第１方向に沿って配置された内側面に第２方向に対向して配置された１対の第１固定部と、光学ベース収納部より第２規制部側で第２方向に対向して配置された１対の第２固定部と、を有する。
【０００９】
第６の発明に係る光ピックアップ装置用ピックアップフレームは、第５の発明に係るピックアップフレームであって、光学ベースと、支持ベースと、は第１及び第２固定部で接着剤により固定されている。
第７の発明に係る光ピックアップ装置用ピックアップフレームは、第６の発明に係るピックアップフレームであって、支持ベースと、光学ベースと、は隙間をあけて配置されている。
第８の発明に係る光ピックアップ装置は、光を出射する発光素子と、発光素子から出射された光を処理する光学処理部と、光学処理部で処理された光を記録媒体に向けて集光する光照射部と、第１から第７の発明のいずれかに記載のピックアップフレームと、を備え、固定台に対して移動可能である。
【００１０】
この光ピックアップ装置では、支持ベースの熱変形によって発生する光学ベースの位置ずれの影響を小さくすることができるため、光学部品の位置ずれによる光学特性の低下を抑えることができる。
第９の発明に係る記録再生装置は、第８の発明に記載の光ピックアップ装置と、固定台と、固定台に第２方向に沿って配置された主軸と、固定台に主軸と第１方向に間隔を隔てて平行に配置された副軸と、光ピックアップ装置に対向可能に配置され、記録媒体を回転可能に載置するための記録媒体載置部と、を備えている。
【発明の効果】
【００１１】
本発明に係るピックアップフレームでは、合成樹脂製の支持ベースが金属製の補強部材により補強されるので、支持ベースの熱変形が妨げられ、ピックアップフレームのトータルでの熱変形を低減することができる。
【発明を実施するための最良の形態】
【００１２】
図１及び図２を用いて、本発明の第１実施形態を採用した光学式情報記録再生装置（以下、「記録再生装置」という。）１の構成について説明する。図１に記録再生装置１の概略斜視図、図２に記録再生装置１の部分斜視図を示す。なお、以降の説明では、図１の右斜め方向をＸ軸方向（第１方向の一例）、光ピックアップ装置４のトラッキング方向である図１の左右方向（第２方向の一例）をＹ軸方向、Ｘ軸およびＹ軸に直交する方向（図１の上下方向）をＺ軸方向とし、図１において、右斜め上側をＸ軸方向正側、左側をＹ軸方向正側、上側をＺ軸方向正側とする。
図１に示すように、記録再生装置１は主に、光ディスク２が回転可能に載置されるディスク載置部６と、ディスク載置部６上に載置され光ディスク２を回転させるスピンドルモータ７と、光ディスク２に対して情報の記録および再生を行う光ピックアップ装置４と、光ディスク２に対して光ピックアップ装置４を移動可能に支持する移動機構５とから構成されている。
【００１３】
移動機構５は主に、光ピックアップ装置４を移動させるために平行に配置された主軸９ａ及び副軸９ｂと、主軸９ａを回転させるモータ（図示せず）を備えた固定台１０とから構成されている。主軸９ａは、固定台１０にＹ軸方向に沿って配置されており、光ピックアップ装置４の後述するピックアップフレーム８に螺合するねじ部（図示せず）を有している。主軸９ａが回転することで、光ピックアップ装置４が光ディスク２の半径方向と平行なＹ軸方向に移動する。主軸９ａは、ピックアップフレーム８がＹ軸方向以外に可動するのを規制する機能も有している。副軸９ｂは、主軸９ａ回りにピックアップフレーム８が回動するのを規制するとともに、ピックアップフレーム８をＹ軸方向に移動可能に支持している。光ピックアップ装置４は主軸９ａに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
【００１４】
＜光ピックアップ装置の構成＞
図３から図７を用いて本発明の一実施形態に係る光ピックアップ装置４の構成について説明する。図３に光ピックアップ装置４の平面図、図４にハイブリッド型のピックアップフレーム８の斜視図、図５にピックアップフレーム８の分解斜視図。図６に支持ベースの平面視図、図７に図３のVII−VII断面図を示す。
図３に示すように、光ピックアップ装置４は、主に、金属製の部材と合成樹脂製の部材とからなるハイブリッド型のピックアップフレーム８と、レーザ光を出射する、たとえば半導体レーザ素子からなる発光素子１１と、光ディスク（図示せず）で反射されたレーザ光の反射光を検出して電流に変換する受光素子１３と、発光素子１１のレーザ光の強度を検出する強度センサ１５と、を備えている。さらに、光ピックアップ装置４は、発光素子１１から出射されるレーザ光を反射させたり、平行光に変換したり、光ディスクからの反射光を反射させたりする光学処理部１７と、光学処理部１７で平行光に変換されたレーザ光を光ディスクの情報記録面に集光し、その集光されたレーザ光の焦点を光ディスクの情報記録面に合わせるための対物レンズ（光照射部の一例）１９と、対物レンズ１９を光ディスクに対してフォーカス方向及びトラッキング方向（Ｙ軸方向）に駆動させるアクチュエータ２１と、を備えている。光学処理部１７は、回折格子、コリメートレンズ、検出レンズ、立上げプリズム等を含んでいる。
【００１５】
ピックアップフレーム８は、図３から図６に示すように、対物レンズ１９以外の光学部品、すなわち、発光素子１１、受光素子１３、光学処理部１７を支持する光学ベース３０と、強度センサ１５及び光学ベース３０を支持する支持ベース３２と、支持ベースを補強する補強部材３４（図３及び図６）と、を有している。また、ピックアップフレーム８は、支持ベース３２のＸ軸方向の第１端（図３右端）に設けられ、支持ベース３２がＹ軸方向以外の方向に可動するのを規制する第１規制部３６と、支持ベース３２のＸ軸方向の第２端（図３左端）に設けられ、支持ベース３２がＹ軸方向の軸回りに回動するのを規制する第２規制部３８と、を有している。
光学ベース３０は、たとえば、亜鉛やマグネシウムやアルミニウム等を主成分とする合金製であり、ダイカストにより製造された熱伝導性が良好な金属製の部材である。光学ベース３０は、支持ベース３２より僅かに薄い概ね矩形の板状部材である。
【００１６】
光学ベース３０のＸ軸方向の第２規制部３８に接近する側（図４左側）には、発光素子１１を収納して固定するための発光素子収納部３０ａが形成されている。発光素子収納部３０ａは、概ね矩形に凹んで形成されている。この発光素子収納部３０ａに発光素子１１が隙間をあけて固定されている。発光素子収納部３０ａは、その他の部分よりＹ軸方向の長さ（幅）が長く形成されている。また、光学ベース３０の中央部には、光学処理部１７を収納して固定するためのＴ字状に開口する光学処理部収納部３０ｂが形成されている。この光学処理部収納部３０ｂに光学処理部１７が隙間をあけて固定されている。光学ベース３０のＹ軸方向に間隔を隔てて配置された２つの側面のＹ軸方向負側には、受光素子１３が隙間をあけて固定されている。光学ベース３０の発光素子１１の装着側の底面には、支持ベース３２に形成された後述する第１連結部５４を乗り超えて跨ぐように第１凹部３０ｃがＹ軸方向に沿って形成されている。この第１凹部３０ｃのＸ軸方向負側に光学素子収納部３０ａが形成されている。光学ベース３０の受光素子１３装着側の底面には、支持ベース３２の後述する第２連結部５６を乗り越えて跨ぐように第２凹部３０ｄがＸ軸方向に沿って形成されている。
【００１７】
光学ベース３０には、発光素子１１から出射されたレーザ光を対物レンズ１９に導くための第１及び第２光通過部３０ｅ，３０ｆが光学処理部収納部３０ｂのＸ軸方向の両側に形成されている。また、光ディスクで反射しさらに光学処理部１７で反射したレーザ光を受光素子１３に導くための第３光通過部３０ｇが光学処理部収納部３０ｂの受光素子１３固定部側にＵ字状の孔の形態で形成され、発光素子１１から出射され光学処理部１７で反射したレーザ光を強度センサ１５に導く第４光通過部３０ｈが強度センサ１５側にＵ字状の溝の形態で形成されている。このように、光学ベース３０に第１及び第２凹部３０ｃ，３０ｄを設け、第１及び第２凹部３０ｃ，３０ｄで支持ベース３２を跨ぐ（乗り越える）ことにより、支持ベース３２及び光学ベース３０の強度を確保しつつピックアップフレーム８全体の薄型化が可能になる。
【００１８】
支持ベース３２は、ＬＰＣ（液晶ポリマー樹脂）やＰＰＳ（ポリフェニレンサルファイド樹脂）等の高温高湿下でも優れた寸法安定性を有する合成樹脂製の板状部材である。支持ベース３２は、アクチュエータ２１を収納して固定するためのアクチュエータ収納部４４と、光学ベース３０の発光素子収納部３０ａを除く部分を収納して固定するための略矩形の第１光学ベース収納部４６と、光学ベース３０の発光素子収納部３０ａを収納して固定するためのするため第２光学ベース収納部４８と、を有している。また、支持ベース３２は、第１光学ベース収納部４６のＹ軸方向の両側に各別に設けられた受光素子収納部５０及び強度センサ収納部５２を有している。受光素子収納部５０は、光学ベース３０に固定された受光素子１３を収納する。強度センサ収納部５２は、強度センサ１５を収納して固定する。強度センサ収納部５２は、隙間をあけて強度センサ１５を配置可能であり、強度センサ１５が接着剤により強度センサ収納部５２に固定されている。第１光学ベース収納部４６と強度センサ収納部５２との間には、光学ベース３０の第４光通過部３０ｈに連通可能な第５光通過部（光通過部の一例）５２ａがＵ字状の溝の形態で形成されている。したがって、第５光通過部５２ａは、Ｘ軸方向でつながった部分を有している。
【００１９】
さらに支持ベース３２は、第１光学ベース収納部４６と第２光学ベース収納部４８との間に形成された第１連結部５４と、第１光学ベース収納部４６と受光素子収納部５０との間に形成された第２連結部５６と、を有している。
アクチュエータ収納部４４は、矩形形状の開口であり、支持ベース３２のＸ軸方向の第１端側（図６右側）に配置されている。アクチュエータ収納部４４は、隙間をあけてアクチュエータ２１を配置可能であり、アクチュエータ２１が接着剤によりアクチュエータ収納部４４に固定されている。アクチュエータ収納部４４と第１光学ベース収納部４６との間には、光学処理部１７と対物レンズ１９との間で光が通過可能な第６光通過部４４ａが光学ベース３０の第２光通過部３０ｆと連通可能に形成されている。この第６光通過部４４ａは、完全に開口しており、Ｙ軸方向につながった薄肉部分がない。
【００２０】
第１光学ベース収納部４６は、概ね矩形形状の開口であり、アクチュエータ収納部４４よりＸ軸方向負側（図６左側）に配置されている。第１光学ベース収納部４６は、光学ベース３０の第１端側の両側面を固定可能にＹ軸方向に間隔を隔てて対向して凹んで形成された１対の第１固定部４６ａ，４６ａをＸ軸方向に沿った内側面の第１端側に有している。
第２光学ベース収納部４８は、光学ベース３０の光学素子収納部３０ａの両側にＸ軸方向負側に突出して形成されている。第２光学ベース収納部４８は、光学ベース３０の光学素子収納部３０ａの両側面を固定可能にＹ軸方向に間隔を隔てて対向して凹んで形成された１対の第２固定部４８ａ，４８ａをＸ軸方向に沿った内側面に有している。第２光学ベース収納部４８は、第２規制部３８が形成された第１突出部４８ｂと、第１突出部４８ｂとＹ軸方向に間隔を隔てて配置された第２突出部４８ｃと、を有している。第２固定部４８ａ，４８ａは、第１突出部４８ｂの内側面と第２突出部４８ｃの内側面に対向して形成されている。第２突出部４８ｃは、第１突出部４８ｂより僅かに厚みが薄く形成されており、第１突出部４８ｂより短く、光学ベース３０の先端部より僅かに突出するＸ軸方向の長さを有している。
【００２１】
支持ベース３２の第１及び第２光学ベース収納部４６，４８と、光学ベース３０と、はたとえば、０．１ｍｍから１．０ｍｍ程度の隙間をあけて配置されている。また、図６に示すように、支持ベース３２の表面（上面）の第１光学収納部４６の周囲の補強部材３４の配置部分は、補強部材３４を固定するための補強部材固定部３５が補強部材３４の厚み分凹んで形成されている。補強部材固定部３５は、補強部材３４の外側縁と同じ形状に形成されている。なお、補強部材３４がオーバーハングする部分（たとえば、第１連結部５４を通過する部分）には、補強部材固定部３５は設けられてない。なお、補強部材３４と光学ベース３０の上面との間に隙間を設けるため、補強部材固定部３５の底面は、光学ベース３０の上面よりＺ軸方向正側に配置されている。
支持ベース３２のＸ軸方向正側の第１端部には、第１規制部３６を構成する第１軸受４０が形成されている。第１軸受４０は、主軸９ａに案内されるスライド軸受の機能と、主軸９ａに螺合して主軸９ａの回転によりＹ軸方向に移動するナットの機能とを有している。支持ベース３２のＸ軸方向負側の第２端部、すなわち第２光学ベース収納部４８の第１突出部４８ｂには、第２規制部３８を構成する第２軸受４２が形成されている。第２軸受４２は、副軸９ｂに案内されるスライド軸受であり、この実施形態では、組立作業を容易にするためにＵ字状に先端が開口するように形成されている。
【００２２】
第１連結部５４は、１対の第２固定部４８ａより第２規制部３８から離反した位置で第１及び第２突出部４８ｂ，４８ｃを連結するようにＹ軸方向に沿って形成されている。第１連結部５４は、第１及び第２突出部４８ｂ，４８ｃより薄肉である。第１連結部５４には、光学ベース３０の第１凹部３０ｃに隙間をあけて係合する補強部５４ａが他の部分より上方に突出して形成されており、光学ベース３０は、補強部５４ａを含む第１連結部５４を跨いで（乗り越えて）Ｘ軸方向の第２端側に延びている。補強部５４ａの中央部には、発光素子１１から出射されたレーザ光を光学処理部１７に導くための第７光通過部（光通過部の一例）５４ｂが形成されている。第７光通過部５４ｂは、光学ベース３０の第１光通過部３０ｅに連通可能である。
第２連結部５６は、第１光学ベース収納部４６と受光素子収納部５０とを区画するようにＸ軸方向に沿って形成されている。第２連結部５６は、第１連結部５４よりは厚肉であるが、その他の部分よりは薄肉に形成されている。第２連結部５６は、光学ベース３０の第２凹部３０ｄに隙間をあけて係合しており、光学ベース３０は、第２連結部５４を跨いで（乗り越えて）Ｙ軸方向に負側に延びている。第２連結部５６の中央部分には、第３光通過部３０ｇに連通可能な第８光通過部（光通過部の一例）５６ａがＵ字状の溝の形態で形成されている。
【００２３】
補強部材３４は、支持ベース３２に接着等の適宜の固定手段により固定された矩形枠状の部材である。補強部材３４は、たとえば支持ベース３２と同材質の合成樹脂製の板状部材であり、その平面がＸ−Ｙ平面と平行に配置されている。補強部材３４は、図３から図５及び図７に示すように、支持ベース３２の表面（上面）に形成された補強部材固定部３５に固定されている。補強部材固定部３５は、図５及び図６に示すように、補強部材３４の板厚分凹んで形成されている。補強部材３４は、Ｘ軸方向に沿って配置された１対の第１部分３４ａ，３４ｃと、Ｙ軸方向に沿って配置された１対の第２部分３４ｂ，３４ｄと、を有している。補強部材固定部３５は、図６にハッチングで示すように、第１及び第２部分３４ａ，３４ｃ、３４ｂ，３４ｄが固定される第３及び第４部分３５ａ，３５ｃ、３５ｂ，３５ｄを有している。第１部分３４ａは、第５光通過部５２ａと交差するようにＸ軸方向に沿って配置されている。第２部分３４ｂは、第１連結部５４上にＹ軸方向に沿って配置されている。第１部分３４ｃは、第２連結部５６上にＸ軸方向に沿って配置されており、第８光通過部５６ａと交差するように配置されている。第２部分３４ｄは、第１光学ベース収納部４６とアクチュエータ収納部４との間にＹ軸方向に沿って配置されている。第２部分３４ｄは、第６光通過部４４ａ上を通過して第１部分３４ａ，３４ｃを連結している。このような補強部材３４を設けることにより、合成樹脂製の支持ベース３２が同じ材質の補強部材３４により、特にたわみやすいＸ軸方向に補強されるので、支持ベース３２の熱変形が妨げられ、ピックアップフレーム８のトータルでの熱変形を低減することができる。
【００２４】
ピックアップフレーム８の光学ベース３０と支持ベース３２は、それぞれ１対の第１及び第２固定部４６ａ，４６ａ、４８ａ，４８ａに充填された接着剤により固定されている。また、光学ベース３０と、発光素子１１及び受光素子１３と、は同じく接着剤で固定されている。さらに支持ベース３２とアクチュエータ２１も接着剤で固定されている。しかも、接着部分の周囲には全て隙間が形成されており、固定時に種々の調整を三次元的に行えるようになっている。
具体的には、光学部品の位置ずれや傾きを防止するために、各光学部品及び光学ベース３０又は支持ベース３２の少なくとも一方に接着剤を塗布し、各光学部品の光学特性から光学ベース３０及び支持ベース３２との最適な位置となるように三次元で位置調整を行い、接着剤を硬化させることで、光学部品を位置決めして固定する。
【００２５】
また、合成樹脂製の支持ベース３２に、光学ベース３０が接着剤で固定されている。この固定の際には、光学ベース３０と支持ベース３２との少なくとも一方に接着剤を塗布し、光学的特性が最適となるように、光学ベース３０に搭載された光学部品と支持ベース３２とを三次元で位置調整を行った上で接着剤を硬化させることで、両者を位置決めして固定する。なお、接着剤はアクリル系またはエポキシ系の紫外線硬化型接着剤であることが好ましい。
このように合成樹脂製の支持ベース３２の表面に同じ材質の補強部材３４を固定し、支持ベース３２の裏面（下面）側の上側への膨張を補強部材３４の下側への膨張により相殺することで、光学ベース３０の位置ずれを防止している。これにより、合成樹脂と金属の線膨張係数の違いによる熱変形量の差により光学ベース３０が支持ベース３２の下方向へのたわみにより引きずられることにより発生する光学部品の位置ずれや傾きを防止することができる。なお、ここで説明している傾きとは、主軸９ａと副軸９ｂとからなる−Ｘ軸方向の平面に対する傾きであり、図７にθで示す角度で表現している傾きのことを意味している。
【００２６】
たとえば、図７に示すピックアップフレーム８の断面図から明らかなように、金属製の光学ベース３０を、合成樹脂製の支持ベース３２の表面に補強部材３４を固定する構造とすることで、光軸方向すなわち、Ｘ軸方向に発生する支持ベース３２の変形を抑制することができるため、高温下における光学ベース３０の変形量を低減可能になり、光学ベース３０に搭載された光学部品の位置ずれや傾きを低減できる。
＜記録再生装置の動作＞
図１から図３を用いて、記録再生装置１の動作について説明する。
図１および図２に示すように、スピンドルモータ７により光ディスク２が回転駆動される。光ピックアップ装置４からレーザ光が情報記録面に対して出射される。光ピックアップ装置４は、移動機構５により光ディスク２に対して半径方向と平行な方向に駆動される。以上の構成により、光ピックアップ装置４からのレーザ光の照射位置を変更することができる。
【００２７】
また、光ピックアップ装置４の内部では、図３に示すように、発光素子１１からＸ軸方向正側にレーザ光が出射される。このレーザ光は、光学処理部１７により平行光にされる。平行光にされたレーザ光は、Ｙ軸方向正側に進み、Ｚ軸方向正側に折り曲げられ、対物レンズ１９に入射される。対物レンズ１９は、アクチュエータ２１によりフォーカス方向およびトラッキング方向に移動可能であり、対物レンズ１９によりレーザ光が光ディスク２の情報記録面に集光され、情報記録面に記録マークが形成されることで情報が記録される。
光ディスク２上に記録された情報を再生する場合は、情報を記録する場合と同様に、情報記録面にレーザ光を照射する。そして、情報記録面で反射したレーザ光は、対物レンズ１９、光学処理部１７を介して受光素子１３に入射される。受光素子１３に入射されたレーザ光は、受光素子１３により電流値に変換され、その電流値に基づいて情報記録面に記録されている情報が再生される。
【００２８】
＜作用効果＞
（Ａ）光ピックアップ装置４において、発光素子１１が発光していると、発光素子１１から発熱した熱が光学ベース３０を介して合成樹脂製の支持ベース３２に伝達される。ここで、合成樹脂製の支持ベース３２の表面に合成樹脂製の補強部材３４が光学ベースから離反して配置されている。このため、温度上昇により支持ベース３２が膨張すると補強部材３４も膨張し、支持ベース３２が下方にたわもうとしても、表面で膨張する補強部材３４によりたわみが抑制される。また、このピックアップフレーム８に発光素子や光学処理部１７を搭載しても、光学ベース３０の位置ずれの影響を小さくすることができる。
（Ｂ）補強部材３４が、第１光学ベース収納部４６の周囲で少なくともＸ軸方向に沿って配置されているので、熱変形による影響によりＸ軸方向に沿ってたわみやすい支持ベース３２がＸ軸方向に沿って配置された補強部材３４により効果的に補強される。
【００２９】
（Ｃ）補強部材３４が支持ベース３２と同じ材質であるので、線膨張径数が同じになり、支持ベースの熱変形をさらに低減することができる。
（Ｄ）補強部材３４がその厚み分凹んで形成された補強部材固定部３５に固定されるので、補強部材３４が支持ベース３２から突出しなくなり、ピックアップフレームの薄肉化を図ることができる。
（Ｅ）第１固定部４６ａ及び第２固定部４８ａのＸ軸方向の間隔を広くとることができるので、Ｘ軸方向にたわみやすい支持ベース３２を金属製の光学ベース３０で補強することができる。
（Ｆ）光学ベース３０と、支持ベース３２と、を接着剤だけで固定しているので、三次元の位置調整を完了した後に接着剤を硬化させて精度がよいピックアップフレーム８を製造できる。
【００３０】
（Ｇ）光学ベース３０と、支持ベース３２と、が隙間をあけて配置されているので、支持ベース３２が熱膨張しても光学ベース３０が位置ずれにくくなる。
＜他の実施形態＞
（ａ）前記実施形態では、補強部材３４をＸ軸方向及びＹ軸方向に配置したが、補強部材は、少なくともＸ軸方向に配置していればよい。
（ｂ）前記実施形態では、第１光学ベース収納部４６を含めて各収納部を底がない開口で構成したが、各収納部の少なくともいずれかに底を設けてもよい。
（ｃ）前記実施形態では、線膨張率を考慮して支持ベース３２と補強部材３４とを同材質の合成樹脂製としたが、合成樹脂であれば別材質であってもよい。
【産業上の利用可能性】
【００３１】
本発明に係る光ピックアップ装置用ピックアップフレーム、光ピックアップ装置および光学式情報記録再生装置は、ハイブリッド型のピックアップフレームにおいて、温度上昇による合成樹脂製の支持ベースの熱変形を低減する図ることができる。このため、小型化が必要とされる、あるいは、高熱化しやすい、大容量の記録媒体からの読み出しや、高倍速記録を行う光学式情報記録再生装置の関連分野において有用であり、かつ、実施することができる。
【図面の簡単な説明】
【００３２】
【図１】本発明の一実施形態に係る記録再生装置の概略斜視図。
【図２】本発明の一実施形態に係る記録再生装置の一部の概略斜視図。
【図３】本発明の一実施形態に係る光ピックアップ装置の平面図。
【図４】本発明の一実施形態に係るピックアップフレームの斜視図。
【図５】そのピックアップフレームの分解斜視図。
【図６】支持ベースの平面図。
【図７】図３のＶII−ＶII断面図。
【符号の説明】
【００３３】
１  記録再生装置
２  光ディスク（光学式情報記録媒体）
４  光ピックアップ装置
６  記録媒体載置部
８  ピックアップフレーム
９ａ  主軸
９ｂ  副軸
１０  固定台
１１  発光素子
１７  光学処理部
１９  対物レンズ（光照射部の一例）
３０  光学ベース
３２  支持ベース
３４  補強部材
３４ｂ  第１部分
３４ｃ  第２部分
３４ｄ  連結部分
３５  補強部材固定部
３６  第１規制部
３８  第２規制部
４６  第１光学ベース収納部
４６ａ  第１固定部
４８ａ  第２固定部
５２ａ  第５光通過部（光通過部の一例）
５６ａ  第８光通過部（光通過部の一例
【図１】
2009283112.tif 000003
【図２】
2009283112.tif 000004
【図３】
2009283112.tif 000005
【図４】
2009283112.tif 000006
【図５】
2009283112.tif 000007
【図６】
2009283112.tif 000008
【図７】
2009283112.tif 000009